(57)【特許請求の範囲】
【請求項１】
建築躯体に囲まれた部分に配置する浴室ユニットの浴室壁のカラン取付構造であって、浴室ユニットの浴室壁の一部を構成し前面側に突出部を突出するカラン取付用パネルを配置すると共に該カラン取付用パネル前面の一部に前記突出部を覆う突出部覆い部を突出したカバーを取り付け、該カバー内部を配管スペースとして配管を通すと共にカバー前面側にカランを配設して成ることを特徴とする浴室壁のカラン取付構造。
【請求項２】
背方が開口しているカバーの一側方に開口を設けて成ることを特徴とする請求項１記載の浴室壁のカラン取付構造。
【請求項３】
カラン取付用パネルとカバーとの取り付け部にパッキンを介在させて成ることを特徴とする請求項１又は請求項２に記載の浴室壁のカラン取付構造。
【発明の詳細な説明】
【０００１】
【発明の属する技術分野】
本発明は、浴室ユニットの浴室壁のカラン取付構造に関するものである。
【０００２】
【従来の技術】
従来より、図３及び図４に示すように、カラン６をはじめ、照明器具８１，ミラー８２，シャワー８３等の設備の取り付け部分が合成樹脂により一体的に成形されているカラン取付用パネル３を浴室ユニット１の浴室壁２の一部として設置したりしている。
【０００３】
浴室ユニット１は、複数の壁パネル２ａで浴室壁２が構成されてあり、この壁パネル２ａの一つに上記カラン取付用パネル３を設置して、該上記カラン取付用パネル３前面（すなわち室内側面）にカラン６を配設するものである。また、浴室ユニット１は、外壁等の建築躯体Ｋにて囲まれる部分Ａに配置され、建築躯体Ｋと浴室壁２との隙間Ｔに配管５を配設してカラン取付用パネル３の裏側に配置し、カラン取付用パネル３を貫通してカラン取付用パネル３の室内側に配設されるカラン６に接続するものである。なお、図中のＢは浴槽を示す。
【０００４】
このようなカラン取付用パネル３を設置した浴室ユニット１は、建築躯体Ｋにて囲まれる部分に配置された際、建築躯体Ｋと浴室壁２との隙間Ｔが狭くて配管５を配設することができなかったり、あるいは、寒冷地であった場合には、配管５を建築躯体Ｋと浴室壁２との隙間Ｔではなく、浴室ユニット１内に配管を配設することが規定されているといったことから、浴室ユニット１内に配管５しなければならない場合があった。
【０００５】
そこで、浴室ユニット１内のカラン取付用パネル３前面に配管を配設することが考えられるが、このようにすると浴室ユニット１内から配管５が見えて見栄えが悪くなるという問題があるものであった。
【０００６】
【発明が解決しようとする課題】
本発明は上記の点に鑑みてなされたものであり、その目的とするところは、浴室ユニット内に配管することができると共に、浴室ユニット内から配管が見えずに見栄えを損なうことのない浴室壁のカラン取付構造を提供することを課題とするものである。
【０００７】
【課題を解決するための手段】
上記課題を解決するために本発明に係る浴室壁のカラン取付構造は、建築躯体に囲まれた部分に配置する浴室ユニット１の浴室壁２のカラン６取付構造であって、浴室ユニット１の浴室壁２の一部を構成し前面側に突出部３６を突出するするカラン取付用パネル３を配置すると共に該カラン取付用パネル３前面の一部に前記突出部３６を覆う突出部覆い部４１を突出したカバー４を取り付け、該カバー４内部を配管スペースＳとして配管５を通すと共にカバー４前面側にカラン６を配設して成ることを特徴とするものである。このような構成とすることで、建築躯体にて囲まれる部分に配置された際に、建築躯体と浴室壁２との隙間が狭くて配管５を配設することができなかったり、あるいは、寒冷地で建築躯体と浴室壁２との隙間に配管５を配設することができない場合に、浴室ユニット１内に配管５しても浴室ユニット１内から配管５が見えずに見栄えを損なうことのないものである。
【０００８】
また、背方が開口しているカバー４の一側方に開口４６を設けることが好ましい。このような構成とすることで、カラン取付用パネル３が、外壁等の建築躯体に近接して配置される浴室壁２の一側端部４１ａの壁パネル２ａとして設置される際、カラン取付用パネル３が取り付けられた浴室壁２と直交する浴室壁２より配管５を浴室ユニット１内に導入することで、容易に配管することができるものである。
【０００９】
また、カラン取付用パネル３とカバー４との取り付け部にパッキン７を介在させることが好ましい。このような構成とすることで、浴室ユニット１内側からカバー４の背面側の配管スペースＳへの湯水の侵入が防止できるものである。
【００１０】
【発明の実施の形態】
以下、本発明に係る浴室壁のカラン取付構造を添付図面に基づいて説明する。
【００１１】
まず、浴室ユニット１の建築物内への配設について説明する。浴室ユニット１は、外壁等の建築躯体にて囲まれる部分に配置されるものである。前記外壁等の建築躯体にて囲まれる部分は、通常は、外壁によって平面視コ字状に三方向を囲まれる部分や、あるいは、外壁によって平面視Ｌ字状に二方向を囲まれる部分であって、このような部分に平面視矩形状をした浴室ユニット１の浴室壁２（側壁面）の三面あるいは二面が外壁に近接して配置されるものであるが、特にこのように限定されるものではなく、本実施形態においては、少なくとも浴室ユニット１の浴室壁２の一面が外壁等の建築躯体に近接して配置されるものである。
【００１２】
浴室ユニット１の浴室壁２は、複数の壁パネル２ａを並設して形成され、浴室壁２四面より平面視矩形状をした浴室ユニット１が構成されるものである。そして、浴室ユニット１は上述したように、少なくとも浴室壁２の一面が外壁等の建築躯体に近接して配置されるが、この外壁等の建築躯体に近接して配置される浴室壁２において、壁パネル２ａの一つとしてカラン６等が取り付け可能な壁パネル２ａであるカラン取付用パネル３を設置するものである。
【００１３】
カラン取付用パネル３は、カラン配設部３１をはじめ照明器具８１，ミラー８２，シャワー８３といった設備の取付部や収納棚３２が合成樹脂により一体的に形成されるもので、本実施形態においては、外壁等の建築躯体に近接して配置される浴室壁２の一側端部４１ａの壁パネル２ａとして設置される。カラン取付用パネル３は、前面視矩形状をした大略板状のものである。カラン取付用パネル３の上端より上下方向長さの１／４程下方までのパネル上部は、平板状となっており、その前面視略中央部に照明器具取付部３３が形成されている。パネル上部の下端よりカラン取付用パネル３の上下方向長さの１／２程下方までのパネル中部には、シャワーヘッド取付部３４，ミラー取付部３５，収納棚３２が一体的に形成されている。パネル中部の左右方向中央部に上下に長いミラー取付部３５が形成されると共に、その両側に上下に長いシャワーヘッド取付部３４と収納棚３２とがそれぞれ形成され、これらの背面側は浴室壁２の壁パネル２ａよりも背方に位置している。パネル中部の下端よりも下方は、カラン配設部３１等が形成されたパネル下部となっている。
【００１４】
パネル下部の上端には、パネル中部に形成されているシャワーヘッド取付部３４，ミラー取付部３５，収納棚３２の下端と隣接する左右に長い略箱状の突出部３６が前面側（すなわち浴室内側）に突出形成されている。この突出部３６の下方には、左右方向中央部にカラン配設部３１が形成されると共にその両側に凹段部３７が形成され、さらにこれらの下方には、カウンター３８が突出形成されている。また、突出部３６の上面には、後述するカバー４が固着されるための固着具８４が取り付けてある。また、カラン配設部３１の前面側には給水・給湯用の配管５を配設し、その配管５のさらに前面側にカラン６を取り付けて配設するのであるが、本実施形態においては、配管５を覆うようにカバー４をカラン取付用パネル３に固着し、このカバー４を介してその前面側に位置するようにカラン６を配管５に取り付けるものである。
【００１５】
カバー４は、背方の開口と、一側方すなわち、カラン取付用パネル３が取り付けられた浴室壁２と直交する浴室壁２のカラン取付用パネル３に隣接する隣接壁パネル２１の方向の開口４６の二方向に開口した大略箱状のもので、パネル下部の突出部３６を覆う突出部覆い部４１と、該突出部覆い部４１の下側に形成される配管覆い部４２とからなる。
【００１６】
カバー４の突出部覆い部４１の内面は、パネル下部の突出部３６の外面と大略同形状で、突出部覆い部４１の内面が突出部３６の外面に被嵌されるようになっているが、カバー４の突出部覆い部４１の隣接壁パネル２１側の側端部４１ａは隣接壁パネル２１に接すると共に、パネル下部の突出部３６の下面に当接する部分は、突出部３６の突出面から若干背方に入った位置まで形成されている。また、パネル下部の突出部３６の上面に当接する部分には、突出基部が細い逆台形状をした、カラン取付用パネル３（ここではパネル下部の突出部３６）に固着するための固着用突部４３が突出形成されている。そして、突出部覆い部４１の下端部からは、配管覆い部４２が下方に連設されている。
【００１７】
配管覆い部４２は、背方の開口と上方と隣接壁パネル２１側の側方の開口４６を有する大略箱状をしており、上端部は上記突出部覆い部４１の下端部に接続され、隣接壁パネル２１側の側端部４１ａは隣接壁パネル２１に接するものである。また、配管覆い部４２の前面には、略中央部に後述するカラン６と配管５とを接続するための孔４４を穿設すると共に、配管５の形状等に合わせて隣接壁パネル２１側が前方に位置するように配管覆い部４２の前面に傾斜部４５が形成されている。
【００１８】
このようなカバー４は、カラン取付用パネル３に固着した際、該カバー４とカラン取付用パネル３と隣接壁パネル２１とでカバー４内部の空間が閉塞されるが、この空間を配管スペースＳとして配管５を通すと共に、上記孔４４を介してカラン６を配管５に取り付けてカバー４前面側に該カラン６を配設するものである。
【００１９】
カバー４をカラン取付用パネル３に固着するにあたっては、まず、カラン取付用パネル３の前面側に配管５を配設しておく。配管５は、隣接壁パネル２１に配管５挿通穴２２を二穴穿設して、それぞれに給水用配管５と給湯用配管５とを挿通して浴室ユニット１内にこれらの配管５を導入するものである。この時、配管５の端部はカラン６を配設する位置の背方に位置させておく。次に、カバー４に突出形成された固着用突部４３を、パネル下部の突出部３６の上面に取り付けられた固着具８４に嵌め込むと同時に、カバー４の突出部覆い部４１及び配管覆い部４２と隣接壁パネル２１とをＬ型部材８５を用いてビス等の固定具８６で固定して、カバー４をカラン取付用パネル３に固着する。但しこの時、カバー４の突出部覆い部４１の内面とパネル下部の突出部３６の上面との間には、パッキン７を介在させる。このようにすることで、浴室ユニット１内側からカバー４の背面側の配管スペースＳへの湯水の侵入が防止できる。その後で、カラン６をカバー４前面側より、カバー４の配管覆い部４２に穿設した孔４４を介してカバー４内部の配管スペースＳに配設してある配管５に接続するものである。
【００２０】
以上のような構成によれば、浴室ユニット１内側に配管するようにしたことで、建築躯体にて囲まれる部分に配置された際に、建築躯体と浴室壁２との隙間が狭くて配管５を配設することができなかったり、あるいは、寒冷地で建築躯体と浴室壁２との隙間に配管５を配設することができない場合に、浴室ユニット１内に配管５しても浴室ユニット１内から配管５が見えずに見栄えを損なうことのないものである。
【００２１】
また、背方が開口しているカバー４の一側方に開口４６を設けたので、カラン取付用パネル３が、外壁等の建築躯体に近接して配置される浴室壁２の一側端部４１ａの壁パネル２ａとして設置される際、カラン取付用パネル３が取り付けられた浴室壁２と直交する浴室壁２より配管５を浴室ユニット１内に導入して、容易に配管することができるものである。
【００２２】
【発明の効果】
上記のように本発明の請求項１記載の発明にあっては、建築躯体に囲まれた部分に配置する浴室ユニットの浴室壁のカラン取付構造であって、浴室ユニットの浴室壁の一部を構成し前面側に突出部を突出するカラン取付用パネルを配置すると共に該カラン取付用パネル前面の一部に前記突出部を覆う突出部覆い部を突出したカバーを取り付け、該カバー内部を配管スペースとして配管を通すと共にカバー前面側にカランを配設したので、建築躯体にて囲まれる部分に配置された際に、建築躯体と浴室壁との隙間が狭くて配管を配設することができなかったり、あるいは、寒冷地で建築躯体と浴室壁との隙間に配管を配設することができない場合に、浴室ユニット内に配管しても浴室ユニット内から配管が見えずに見栄えを損なうことのないものである。
【００２３】
また請求項２記載の発明にあっては、請求項１の効果に加えて背方が開口しているカバーの一側方に開口を設けたので、カラン取付用パネルが、外壁等の建築躯体に近接して配置される浴室壁の一側端部の壁パネルとして設置される際、カラン取付用パネルが取り付けられた浴室壁と直交する浴室壁より配管を浴室ユニット内に導入することで、容易に配管することができるものである。
【００２４】
また請求項３記載の発明にあっては、請求項１又は請求項２記載の効果に加えてカラン取付用パネルとカバーとの取り付け部にパッキンを介在させたので、浴室ユニット内側からカバーの背面側の配管スペースへの湯水の侵入が防止できるものである。
【図面の簡単な説明】
【図１】本発明の浴室壁のカラン取付構造を示し、（ａ）は要部前面図であり、（ｂ）は要部平面図である。
【図２】同上を示し、（ａ）は要部側断面図であり、（ｂ）は要部側面図であり、（ｃ）は要部拡大前面図であり、（ｄ）は要部拡大平面図である。
【図３】同上の浴室壁のカラン取付構造のカラン取付用パネルの前面図である。
【図４】浴室ユニットを建築躯体にて囲まれる部分に配置した平面図である。
【符号の説明】
１  浴室ユニット
２  浴室壁
３  カラン取付用パネル
４  カバー
５  配管
６  カラン
７  パッキン
Ｋ  建築躯体
Ｓ  配管スペース
【図１】
0003744363.tif 000002
【図２】
0003744363.tif 000003
【図３】
0003744363.tif 000004
【図４】
0003744363.tif 000005